(57)【要約】【課題】製造が簡単で、ケーブルの接続が迅速にでき、プラグハウジングの空間が最大限利用できる電気プラグの提供。【解決手段】電気プラグ（１０）は、開位置及び閉位置間を回転できるように互いに連結された第１ハウジング（１２）及び第２ハウジング（１４）を有する。第１及び第２のハウジング間にケーブル端着座部（２０）が配置されている。ケーブル端着座部は、対向する両側の各々に電気プラグに接続されるケーブルの導体を着座する少なくとも１個の着座部（２２）を有する。第１及び第２のハウジングには、着座部に対向してコンタクト（１９）が配列される。第１及び第２のハウジングが閉位置にあるとき、コンタクトは導体に導電接続される。【選択図】図１
2008053234.tif 000002
【特許請求の範囲】
【請求項１】
開位置及び閉位置間を回転できるように互いに連結された第１ハウジング（１２）及び第２ハウジング（１４）を有し、該第１及び第２のハウジング間にケーブル端着座部（２０）が配置された電気プラグ（１０）において、
前記ケーブル端着座部は、対向する両側の各々に前記電気プラグに接続されるケーブルの導体を着座する少なくとも１個の着座部（２２）を有し、
前記第１及び第２のハウジングには、前記着座部に対向してコンタクト（１９）が配列され、
前記第１及び第２のハウジングが閉位置にあるとき、前記コンタクトは前記導体に導電接続されることを特徴とする電気プラグ。
【請求項２】
前記ケーブル端着座部は、少なくとも一側に２個、３個、４個又５個以上の前記着座部を有することを特徴とする請求項１記載の電気プラグ。
【請求項３】
前記ケーブル端着座部の上側の前記着座部は上方に開放し、
前記ケーブル端着座部の下側の前記着座部は、少なくとも部分的に閉じた溝又は穴の形態であることを特徴とする請求項２記載の電気プラグ。
【請求項４】
前記コンタクトは圧接コンタクトであることを特徴とする請求項１ないし３のうちいずれか１項記載の電気プラグ。
【請求項５】
前記ケーブル端着座部は、絶縁デバイス（１８）に一体に形成されていることを特徴とする請求項１ないし４のうちいずれか１項記載の電気プラグ。
【請求項６】
前記第１及び第２のハウジングは、回転できるように第３ハウジング（１６）を介して互いに連結され、
該第３ハウジングは、前記絶縁デバイスにロックされると共に、前記第１及び第２のハウジングの内部に配置された突起（２８）を回転可能に支持するための着座部（２９）を有することを特徴とする請求項５記載の電気プラグ。
【請求項７】
前記第１ハウジング又は前記第２ハウジングにロック要素（２４）が設けられ、
前記第１及び第２のハウジングは、互いから離れる方向に傾斜できると共にロック位置へ移動可能であり、
前記ロック要素は、前記第１及び第２のハウジングを互いにロックすることを特徴とする請求項１ないし６のうちいずれか１項記載の電気プラグ。
【請求項８】
前記第１及び第２のハウジングが前記第３ハウジングから抜け出ることを防止するディテント要素（３０）が、前記第３ハウジングに固定できる形態であることを特徴とする請求項６又は７記載の電気プラグ。
【請求項９】
平坦コンタクト（５６）を有する印刷回路基板（５０）が前記絶縁デバイス上に配置され、
前記第１及び第２のハウジングが閉じる際に、前記コンタクト及び前記平坦コンタクトが前記印刷回路基板に導電接続することを特徴とする請求項５ないし８のうちいずれか１項記載の電気プラグ。
【請求項１０】
印刷回路基板が、前記絶縁デバイス上に配置されていると共に少なくとも１個の電気回路を有し、
該電気回路は、電気的補償法によりギガビット範囲での高速データネットワーク用の電気伝送特性に影響を与えることを特徴とする請求項５ないし９のうちいずれか１項記載の電気プラグ。
【請求項１１】
前記第１ハウジング又は前記第２ハウジング上にディテントばね要素（６０）が設けられ、
該ディテントばね要素は、プラグ着座部に前記プラグをロックするディテント要素（６２，６４）を有することを特徴とする請求項１ないし１０のうちいずれか１項記載の電気プラグ。
【請求項１２】
前記第１及び第２のハウジング上にばね要素（６８）が配置され、
該ばね要素は、前記絶縁デバイスの後端に配置されたレバー（６６）に結合され、
該レバーは第１ディテント要素（６２）を有し、
前記ばね要素は第２ディテント要素（６４）を有し、
前記第１及び第２のディテント要素は、プラグ着座部に前記プラグをロックすることを特徴とする請求項５ないし１１のうちいずれか１項記載の電気プラグ。
【請求項１３】
前記第１ハウジング又は前記第２ハウジングの外側に、前記プラグがプラグ着座部に差し込まれる差込み方向に溝（８２）が形成されていることを特徴とする請求項１ないし１２のいずれか１項記載の電気プラグ。
【請求項１４】
前記第１、第２及び第３のハウジングのうちの少なくとも１個、及び前記ロック要素（２４）の一方又は双方が金属製であり、
前記第３ハウジングは金属板から形成されていることを特徴とする請求項７ないし１３のうちいずれか１項記載の電気プラグ。
【請求項１５】
前記絶縁デバイス及び前記ケーブル端着座部はプラスチック製であることを特徴とする請求項５ないし１４のうちいずれか１項記載の電気プラグ。
【請求項１６】
前記絶縁デバイス上にシュラウド（５４）が設けられていることを特徴とする請求項５ないし１５のうちいずれか１項記載の電気プラグ。
【請求項１７】
前記プラグが開く際に、前記第１ハウジング及び前記第２ハウジングの一方又は双方を前記絶縁デバイスに付加的にロックするために、少なくとも１個のディテント片（２１）が前記ケーブル端着座部上に配置されていることを特徴とする請求項５ないし１６のうちいずれか１項記載の電気プラグ。
【請求項１８】
前記プラグはＲＪ−４５プラグ着座部に挿入されるよう寸法が設定されていることを特徴とする請求項１ないし１７のうちいずれか１項記載の電気プラグ。
【発明の詳細な説明】
【技術分野】
【０００１】
本発明は、プラグ着座部に接続するための電気プラグに関する。
【背景技術】
【０００２】
従来から、殆どが透明なプラスチックからなる８極のＲＪ−４５プラグが知られている。ケーブルを固定するために、ケーブルの個別導体は、プラグハウジング内に押圧すなわち差し込まれる。圧着工具を使用すると、ケーブルがプラグにしっかりと押圧される。しかし、これらプラグは、ケーブルに接続する際にコスト及び時間を要するという欠点を有する。さらに、このようなプラグは、接続を繰り返えすことに適していない。多くのプラグの場合、ケーブルの個別導体を挿入するために、別体のスライドを使用する。しかし、このような別体の部品は、紛失し易いという欠点がある。
【０００３】
特許文献１には、プラグハウジング、及びプラグハウジングに挿入されると共に遮蔽するコンタクトハウジングからなる高周波ＲＪ−４５プラグが開示されている。コンタクトハウジングは、ケーブルの導体が挿入される複数の着座部を有する。さらに、圧接コンタクトがコンタクトハウジングに挿入される。ケーブルをプラグに接続するために、ケーブルの個別導体は、２平面に平行に且つ互いに所定間隔をおいて所定順序でコンタクトハウジング内に挿入される。個別導体は、その位置で圧接接続を介して、対応するコンタクトの圧接（ＩＤＣ）接続部にそれぞれ接続される。
【０００４】
さらに、特許文献２には、第１及び第２ハウジングを有する電気プラグが開示されている。第２ハウジングは、第１ハウジングに対して回転できるように設計されている。プラグ接触領域は、一方のハウジングに堅く接続されている。圧接コンタクトを有する絶縁デバイスがハウジングに固定されている。さらに、回転するケーブル端着座部が２個のハウジング間に配置されている。ケーブル端着座部は４本の溝を有し、これらの溝に、プラグに接続されるケーブルの個別導体が挿入すなわち差し込まれる。ケーブルと共にケーブル端着座部を第１ハウジングに対して回転することにより、個別導体が接触する。この工程は、各個別導体の絶縁部を切断し個別導体に接触する圧接コンタクトにより行われる。
【特許文献１】欧州特許第９９１１４９号明細書
【特許文献２】独国特許出願公開第１０２００４０３８１２３号明細書
【発明の開示】
【発明が解決しようとする課題】
【０００５】
上述の従来技術の問題は、８極等の多極プラグの接続にコスト及び時間がかかることである。他のタイプのプラグはケーブルの迅速な接続が可能であるが、導体接続のための空間が小さい。
【０００６】
従って、本発明は、製造が簡単で、ケーブルの接続が迅速にでき、プラグハウジングの空間が最大限利用できる電気プラグを提供することを目的とする。
【課題を解決するための手段】
【０００７】
上述の目的は、請求項１に従ったプラグにより達成される。
【０００８】
本発明のプラグは、第１及び第２ハウジングの対向する両側面にケーブル端着座部の２面の導体及び対応する配置のコンタクトに着座部を設けることにより、プラグハウジング内の空間を極めて効率的に使用することができるという利点を有する。さらに、第１及び第２ハウジングを回転することにより、ケーブル端着座部に対して容易にアクセスできるので、対応してケーブルを簡単且つ迅速に接続できる。
【０００９】
好適な更なる発展形は従属項に定義されている。
【００１０】
ケーブル端着座部の側面に複数の着座部を設けることにより、本発明は、例えばギガビットの範囲の高速データネットワークで使用する８極プラグを達成することができる。更なる利点は、第１及び第２ハウジングを開くことにより、導体がケーブル端着座部の対応する着座部内に容易に挿入すなわち差し込むことができることである。第１及び第２ハウジングは、付加的な工具を用いることなく手作業で簡単に閉じることができ、この場合、割当てられたコンタクトに対して導体を自動的に電気的及び機械的接続することができる。このようにして、ケーブルの簡単且つ迅速な接続が可能になる。
【００１１】
各々がプラグハウジング上に適当なディテントを有する、ディテントばね要素すなわちばねと、レバーとを設けることにより、プラグを対応する形状のプラグ着座部に信頼性高くロックし保持することができる。
【発明を実施するための最良の形態】
【００１２】
以下、添付図面を参照して、本発明の好適な実施形態を詳細に説明する。
【００１３】
以下では、異なる実施形態において、同等又は実質的に同等の部品には同一の参照符号が付与されている。
【００１４】
図１ないし図７に示されるように、第１及び第２実施形態のプラグ１０は、第１ハウジング１２、第２ハウジング１４、第３ハウジング１６及び絶縁デバイス１８を有する。第１及び第２ハウジング１２，１４は、以下に詳細に説明するように第３ハウジングを介して回転できるように互いに接続される。
【００１５】
さらに、第１ハウジング１２及び第２ハウジング１４の一方又は双方には、ハウジングが開いた場合にハウジングを開状態に保持する止め部１６ｅ，４７が設けられている。第１及び第２ハウジング１２，１４のこのような止め部１６ｅ，４７の一例は、図７の第２実施形態に示される。しかし、第１実施形態の場合には、互換性を有する止め部を設けることもできる。
【００１６】
プラグ１０の場合、絶縁デバイス１８は、図３及び図６に示されるようなケーブル端着座部２０がさらに設けられる。絶縁デバイス１８は、ケーブル端着座部２０と一体品で形成することができ、又は互いに固定された別体部品（図示せず）の形態でもよい。これは、プラグ１０内でかなりの空間を削減することができるという利点を有し、例えば第１及び第２ハウジング１２，１４にコンタクト１９を取り付けるのに使用することができる。
【００１７】
ケーブル端着座部２０には、対向する２側面に少なくとも１個の着座部２２が設けられる。例えば、図１、図３、図４及び図６に示されるように、ケーブル端着座部２０は、その上面及び下面に４個の着座部２２を有する。
【００１８】
着座部２２は、プラグ１０に接続されるケーブル（図示せず）の導体又は個別導体を受容するために使用される。着座部２２は、導体を受容するのに適するいかなる形態であってもよい。例えば、着座部２２は、図１及び図３に示されるように頂上が解放する細長の孔である凹部の形態にすることができ、又は図４及び図６に示されるように穴又は少なくとも部分的に閉じた溝の形態にすることができる。少なくとも部分的に閉じた形態は、着座部２２がケーブル端着座部２０の下面に設けられる場合、導体は着座部２２内に信頼性高く保持され、好ましくない脱落がない。
【００１９】
ケーブル端着座部２０において、図１、図３、図４及び図６に示されるように、好ましくは８個の着座部２２が設けられ、対向する両側に各４個が配置されて８極プラグ構造を形成する。
【００２０】
しかし、例えばプラグ１０の目的又は寸法に依存して、８個より多いか少ない数の着座部２２を設けることもできる。２側面のケーブル端着座部２０の着座部２２の数及び形状は異なってもよい。図４に示される第２実施形態の場合、上側の着座部２２は溝を有し、下側の着座部は穴の形態である。
【００２１】
図４ないし図７に示される第２実施形態において、好ましくは最初に、ケーブル端着座部２０の下側に導体が配置され、次に、関連する下側すなわち第１ハウジング１２を上方へ傾けることにより導体が接触される。さらに、第１ハウジング１２は、ケーブル端着座部２０に形成されたディテント片２１により随意にロックすることができる。ディテント片２１は、第１ハウジング１２又は第２ハウジング１４用の止め部としてケーブル端着座部２０上に随意に設けることができる。
【００２２】
次に、第２工程では、ケーブル端着座部２０の反対側に残りの導体が配置され、上側すなわち第２ハウジング１４を下方へ傾けることによりこれら導体が接触される。第１及び第２ハウジング１２，１４は、手作業でケーブル端着座部２０内に下方へ傾けることができる。これは、速結技術を有する８極のプラグ構造を達成できるという利点を有する。しかし、原理上は、導体を同時に両側のケーブル端着座部２０に配置し且つ接触させることも可能である。
【００２３】
第１及び第２実施形態のプラグ１０において、回転可能なロック要素２４が図１ないし図７に示されるように第１ハウジング１２又は第２ハウジング１４に設けられる。ロック要素２４はＵ形状の開口２６を有し、この開口２６を通ってケーブルが供給される。原則的に、ケーブルの軸の周囲に回転可能な形態であり、ケーブルは、開位置（図６及び図７参照）から閉位置すなわちロック位置（図２及び図５参照）へ90°閉じたプラグ１０に挿入される。
【００２４】
ロック位置において、ロック要素２４は、第１及び第２ハウジング１２，１４を一緒にしっかりと保持する。ロック要素２４は、手作業で操作される形態にすることができ、或いは両口スパナ（例えば１３番両口スパナ）用の着座部を有する。或いは、又はさらに、図６及び図７に示されるようにロック要素２４を廻すためのねじ回し用に、ロック要素２４の開口２５を設けることができる。これは、第１及び第２ハウジング１２，１４は、容易にロック及びロック解除することにより、圧着工具によりケーブル及びプラグを押圧することとは対照的に、ケーブル接続を繰り返すことが可能になる。
【００２５】
ロック要素２４は、第１及び第２ハウジング１２，１４を互いに容易且つ再度閉じることができるように結合するいくつかの可能な方法のうちの一つに過ぎない。
【００２６】
さらに、プラグ１０の第１及び第２実施形態において、第１及び第２ハウジング１２，１４は、絶縁デバイス１８及びケーブル端着座部２０に対して第３ハウジング１６を介して回転できるように接続される。これは、例えばプラグハウジング及びコンタクトハウジングが後に互いに結合する別体部品の形態であるプラグの場合に起こり得るように、部品が偶発的に紛失するおそれがないという利点を有する。
【００２７】
以下では、図１ないし図７に基づいて第１及び第２実施形態をより詳細に説明する。
【００２８】
図１ないし図３に示されるように、第１実施形態において、第１及び第２ハウジング１２，１４の双方の内部において、コンタクト１９が配置されるコンタクト担持体４２が配列される。コンタクト１９は着座部２２に対応して、又は着座部２２に挿入される導体に対応して配置されるのが好ましい。着座部２２は、ケーブル端着座部２０内の導体に対して回転すると、コンタクト１９の挿入のための凹部４４を有することができる。
【００２９】
対応する第１ハウジング１２又は第２ハウジング１４が共に折り曲げられると、コンタクト１９は、絶縁物を切断することにより導体と接触し、適当な導体に対して電気的及び機械的に接続する。図１及び図３に示されるように、コンタクト１９のばねコンタクト等の接触部４６は、絶縁デバイスの開口４８を通って印刷回路基板５０に対して押圧する。
【００３０】
印刷回路基板５０は、例えば、図３に示されるように絶縁デバイス１８の対応する形状の着座部５２内に配置される。印刷回路基板５０は好ましくは鉛フリーである。
【００３１】
図１及び図３に示されるように絶縁デバイス１８は、随意にシュラウド５４を具備することができる。この目的のために、絶縁デバイス１８は、図１及び図３に示されるようにシュラウド５４を着座するためのスロットを有する着座部を有する。シュラウド５４は、ケーブル端着座部２０をそれぞれ導体用の４個の着座部を有する２個の半体に分割する。シュラウド５４は、電気的伝送特性を改善できるという利点を有する。
【００３２】
さらに、平坦コンタクト５６が、印刷回路基板５０の一端に配置されると共に絶縁デバイス１８の対応する着座部５８に受容される。コンタクト１９及び平坦コンタクト５６は、第１及び第２ハウジング１２，１４が閉じた位置にあるとき、印刷回路基板５０上のパターン（図示せず）を介して互いに導電接続される。
【００３３】
図３に示されるように、第１実施形態において、第３ハウジング１６は、２個の側壁１６ａと、これら側壁１６ａを好適にはＨ形状に互いに連結する連結部材１６ｂとからなる。各側壁１６ａは、その前端に延長部１６ｃを有する。各側壁１６ａの延長部１６ｃの端部には、着座部２９が形成される。第１ハウジング１２又は第２ハウジング１４の突起すなわち軸頸２８が着座部２９に受容すなわちロックされ、回転可能に軸支される。２個の突起２８はそれぞれ、第１及び第２ハウジング１２，１４のそれぞれの適当な側壁の内部に配置される。
【００３４】
第３ハウジング１６の連結部材１６ｂは好適には、延長部１６ｃに沿って延び延長部１６ｃをさらに補強する。
【００３５】
ディテント要素３０を受容するために、第３ハウジング１６は、前側着座部３６及び後側着座部３８を有する。
【００３６】
側壁１６ａは、連結部材１６ｂを越えて突出すると共に後側着座部３８を形成する後部をそれぞれ有する。両側壁１６ａの端部において、ディテント要素３０の突起３４が挿入される、対応する窪み１７が形成されている。
【００３７】
さらに、延長部１６ｃは、ディテント要素３０の楔状部３２用の前側着座部３６を形成する。ディテント要素３０は、図１に示されるように好適には第３ハウジング１６内にほぼ面一に受容されるように寸法が設定される。
【００３８】
さらに、ディテント要素３０の楔状部３２は、その楔状基部が着座部２９に隣接する形態にあり、楔状部３２の幅及び高さは、着座部２９を十分に詰まらせるように選択され、その結果、第１ハウジング１２の突起２８は着座部２９から偶発的に抜け出すことはない。
【００３９】
上述したように、平坦コンタクト５６で印刷回路基板５０が挿入される絶縁デバイス１８上に固定するために、第３ハウジング１６は好適には、図１及び図２に示されるように、絶縁デバイス１８の適切に寸法が設定された着座部に面一で挿入される。絶縁デバイス１８は、第１ハウジング１２の突起２８用に対応して丸められた着座部をハウジング上に有する。
【００４０】
図３に示されるように、ディテント要素３０は基部３３からなる。基部３３の前端には、楔状部３２が配置されている。楔状部３２は好適には、基部３３上で横方向に突出する。さらに、下面には、好適には基部３３の両側で突出すると共に第３ハウジング１６の窪み１７内に挿入される突起３４が設けられている。基部３３の後端には、ディテントばね要素６０の後端が受容される着座部３１が配置されている。
【００４１】
図１ないし図３に示されるディテントばね要素６０は、第１ハウジング１２及び絶縁デバイス１８に接続されている。図１に示されるようにケーブルが挿入された後、補強されたままであり、プラグ１０を例えばＲＪ−４５ソケットである適当なプラグ着座部（図示せず）内にプラグ１０をロックする。
【００４２】
ディテントばね要素６０は、例えばプレス加工で打抜きされた金属板からなり、連結部６３により互いに連結された第１対角部６１及び第２対角部６５を有する。
【００４３】
部分的な形状によって、ディテントばね要素６０は多様な弾性特性を有することができる。ディテントばね要素６０の第１対角部６１は、その前端から連結部６３まで対角方向上方へ延びる。連結部６３は好適には、第１ハウジング１２とほぼ平行に延びており、第２対角部６５に連結される。第２対角部６５は対角方向下方へ延びており、その端部がディテント要素３０の着座部３１内に受容される。
【００４４】
ディテントばね要素６０は、その前端が２個の着座部７０内に配置され、好適には第１ハウジング１２上にロックする。第１ハウジング１２上の着座部７２は、ディテントばね要素６０を配置し案内するのに使用される両側壁７３により区切られる。ディテントばね要素６０はさらに、第１ハウジング１２の着座部７２内に支持されディテントばね要素６０の支持面として使用された２本の側アーム８０を有することができる。
【００４５】
プラグ１０をプラグ着座部にロックするために、ディテントばね要素６０は、第２対角部６５上に２個の第１ディテント要素６２を有する。各第１ディテント要素６２はフックの形態であり、好適にはＲＪ−４５ソケット（図示せず）であるプラグ着座部の対応するディテント要素内にロックできる形態である。図１に示される第１ディテント要素６２は、例えば金属板からフックの形態で打ち抜かれ、上方へ曲げることができる。
【００４６】
第１ディテント要素６２に加えて、図１ないし図３に示される連結部６３には、２個の第２ディテント要素すなわちディテント突起６４を随意に設けることができる。これらの第２ディテント要素６４は、プラグ着座部（図示せず）上の対応するディテント要素内へ同様にロックする形態である。これらディテント要素６４は第１ディテント要素６２を補足又は置換するので、プラグ１０の保持力は、主に又はもっぱら第２ディテント要素６０の止め部により達成される。
【００４７】
第１及び第２ディテント要素６２，６４は、形状、寸法及び配置に関して、プラグ１０がプラグ着座部内へ差し込まれる際に、プラグ着座部の対応するディテント要素とロックする形態にある。
【００４８】
ディテントばね要素、第１及び第２ディテント要素及びプラグ着座部を有するプラグは、上述した独国特許出願公開第１０２００４０３８１２３号明細書に記載されている。
【００４９】
プラグ着座部からプラグ１０を取り外すために、ディテントばね要素６０の第１対角部６１に第２ハウジング１４の方向下向きの圧力が及ぼされる。このようにして、連結部６３及び第２対角部６５も下方に押圧され、第１及び第２ディテント要素６２，６４がプラグ着座部の止め部からロック解除されるので、プラグ１０を取り外すことができる。この圧力は、手作業か、或いはアクセスが困難である場合には着座部７０間に案内される3mmねじ回し等のねじ回しで及ぼされる。
【００５０】
単にケーブルにプラグを接続するために、ディテントばね要素６０の前端は着座部７０内で支えから解放することができ、第１ハウジング１２は図１に示されるように上方へ曲げることができる。
【００５１】
図４ないし図７にプラグの第２実施形態が示され、以下の詳細に説明される。
【００５２】
第１実施形態と同様に、第２実施形態において、コンタクト１９が設けられるコンタクト担持体４２は、第１及び第２ハウジング１２，１４の内側に配置される。コンタクト１９は好適には、着座部２２に対応して、或いは着座部２２内へ挿入される導体に対応して配列される。着座部２２は凹部４４を有することができ、コンタクト１９がケーブル端着座部２０内で導体に対して回転する場合、これらの凹部４４を通してコンタクト１９が通過することができる。
【００５３】
コンタクト１９は、第１実施形態を参照して上述したのと同様に機能する。コンタクト１９は同様に、絶縁デバイス１８の開口を通して印刷回路基板５０に対して押圧することができる接触部４６を有する。
【００５４】
印刷回路基板５０は同様に、図６に示される絶縁デバイス１８の対応する形状の着座部５２内に配置される。
【００５５】
第１実施形態の絶縁デバイスと同様に、絶縁デバイス１８はシュラウド５４を随意に具備することができる。
【００５６】
さらに、第２実施形態において、平坦コンタクト５６は絶縁デバイス１８（図示せず）内に無半田圧入技術で随意に取り付けられ又は仮組立てされる。しかし、平坦コンタクト５６はまた第１実施形態と同様に取り付けることもでき、逆も同様である。
【００５７】
コンタクト１９及び平坦コンタクト５６は、第１及び第２ハウジング１２，１４が閉じた状態にあるとき、印刷回路基板５０上のパターン（図示せず）を介して互いに導電接続される。
【００５８】
プラグ１０の第２実施形態において、第３ハウジング１６は、前部で連結部材１６ｂにより互いに連結された２個の側壁１６ａからなる。第３ハウジング１６は好適には金属板から生産され、両側壁１６ａの一部及び連結部材１６ｂはＵ形状に曲げられる。連結部材１６ｂに連結されていない両側壁１６ａの後部は、図４に示されるように、絶縁デバイス１８の差込み接触領域の対応する形状部用の着座部を形成する。
【００５９】
第１実施形態と同様に、各側壁１６ａは、その前端に延長部１６ｃを有する。各側壁１６ａの延長部１６ｃの端部には、着座部２９が形成される。第１ハウジング１２又は第２ハウジング１４の突起２８が着座部２９に受容すなわちロックされ、回転可能に軸支される。この場合、好適には、着座部２９の端部に突起１６ｄを設けることができる。突起１６ｄは、第３ハウジング１６を絶縁デバイス１８にロックするのに使用される。この目的のために、絶縁デバイス１８は、第３ハウジング１６が絶縁デバイス１８の対応する形状の着座部内に下から押圧されると、第３ハウジング１６の突起１６ｄがロックする適当なフック２７を有する。このため、第３ハウジング１６は絶縁デバイス１８上に配置され保持される。
【００６０】
このような配置はまた、第１実施形態の絶縁デバイス１８及びディテント要素３０上に対応して設けることができる。
【００６１】
さらに、第２ハウジング１４の端部の対応する突起が係止すなわちフックすることができるフック１６ｅすなわちディテント突起を、図７に示されるように第３ハウジング１６の連結部材１６ｂに随意に設けることができる。このようにして、第２ハウジング１４を開位置に保持するために極めて簡単な止め部が設けられるので、ケーブルの導体が配置される際に偶発的に一緒に折り曲げることができない。
【００６２】
図６に示されるディテント要素３０は基部４１を有する。基部４１の前端には、下端にロック突起４５を有する２個のロック横翼４０が設けられる。基部４１は２個の横部分４３を有し、ロック突起４５は横方向外方へ突出する。第３ハウジング１６とのロック時において、ロック突起４５は延長部１６ｃの下側にロックするのに対し、基部４１の関連する横部分４３は延長部１６ｃの上面に配置される。ロック突起４５及び基部４１の２個の横部分４３の寸法は、突起２８用の着座部２９を十分に詰まらせるように選択され、その結果、第１ハウジング１２及び第２ハウジング１４の突起２８は着座部２９から偶発的に抜け出すことはない。
【００６３】
さらに、ディテント要素３０の後端には、好適には第１ハウジング１２に対して対角方向上方へ延びるレバー６６が、形成又は成形される。レバー６６は、その後端に下方を向く突起６７をさらに有することができる。突起６７は、絶縁デバイス１８の対応する形状の着座部にディテント要素３０を位置させる。固定のために、第３ハウジング１６が最初に下から絶縁デバイス１８に押される。絶縁デバイス１８は対応する形状の着座部を有し、第３ハウジング１６は好適には、この着座部内へほぼ面一に受容される。ロック翼４０については、絶縁デバイス１８上に適当な開口３９が設けられ、ロック翼４０はこの開口３９を貫通して第３ハウジング１６の延長部１６ｃにロックする。次に、ディテント要素３０は絶縁デバイス１８に上から押圧又は差し込まれ、第３ハウジング１６にロックするので、これら３部品全てが互いに永久的に結合される。
【００６４】
第２実施形態において、図５及び図６に示されるように、第１ディテント要素６２はレバー６６上に配列される。このレバー６６は、例えばプラスチック製であり、別体部品の形態か、又は図６に示されるようにディテント要素３０上に成形することができる。
【００６５】
さらに、第１ハウジング１２の着座部７２にはばね要素６８が設けられ、ばね要素６８の前端が着座部７０に挿入される。ばね要素６８は好適には、ディテントばね要素６０のように金属板からなる。
【００６６】
ばね要素６８は、第１ハウジング１２の着座部７２に支持される基部７４、対角部７６及び連結部６３を有する。この目的のために、ばね要素６８はその前端で折り曲げられるので、基部７４は第１ハウジング１２上でほぼ平坦になる。対角部７６は、基部７４から対角方向に後部まで上方へ延びており、対角部の端部が連結部６３に連結される。連結部６３は、横方向突出部６９を随意に有することができる。突出部６９は、この目的のために適切に設けられる着座部７２の横方向リブ７１内に受容され、ばね要素６８を縦方向に固定する。縦方向の同様の固定は、第１実施形態のディテントばね要素６０用に設けることもできる。
【００６７】
連結部６３はレバー６６の端部を受容する着座部７５を有し、任意であるがディテントばね要素６０のように２個の第２ディテント要素６４を有する。
【００６８】
プラグ着座部からプラグ１０を取り外すために、ばね要素６８の対角部７６に第２ハウジング１４の方向に圧力が及ぼされる。上述したように、圧力は、手作業か、或いはアクセスが困難である場合にはねじ回しで及ぼされる。ばね要素６８とばね要素６８に結合されるレバー６６は下方へ押圧され、この押圧により第１及び第２ディテント要素６２，６４がプラグ着座部の止め部からロック解除されるので、プラグ１０を取り外すことができる。
【００６９】
プラグ１０にケーブルを挿入するためには、第１ハウジング１２をその折曲げられた位置から約10°上方に傾ければ十分である。図５に示されるばね要素６８は好適には、第１ハウジング１２の着座部７２内に位置するままであり、レバー６６に結合される。従って、第１ハウジング１２の着座部７２から解放される必要は必ずしもない。
【００７０】
コンタクト１９は、上述したように例えばいわゆる圧接（ＩＤＣ）コンタクトを使用することができる（図６参照）。
【００７１】
圧接コンタクトとして特に好適なのは、例えば図１及び図３に示される、タイコ  エレクトロニクス  アンプGmbH製のいわゆるフォールドオーバーコンタクトである。これらのコンタクトは、好適にはＡＷＧ２２番線、２４番線、２６番線という異なるワイヤ断面の複数接触が可能であるという利点を有する。例えば、大径ワイヤを９回使用することができ、１０回目には可撓ワイヤを使用することができる。
【００７２】
しかし、上述のコンタクト１９と同様に、ケーブル端着座部２０内に挿入されるケーブル導体と接触するために、他のコンタクト又はこれらコンタクトの組合せも考えられる。
【００７３】
また、第１及び第２実施形態において、図１ないし図６に示される第１ハウジング１２及び第２ハウジング１４の一方又は双方の両側壁に、溝８２を設けることができる。溝８２は、プラグ１０がプラグ着座部（図示せず）内に差し込まれる差込み方向と平行に形成される。溝８２は、対応するプラグ着座部の対応する延長部１６ｃと共に、プラグ着座部内にプラグ１０を案内するのに使用される。
【００７４】
また、第１実施形態のディテント要素３０は任意であるが、第２実施形態のディテント要素３０のように、ロック翼を随意に具備することができる。ロック翼は、ディテント要素３０上に設けることができるので、図６に示されるように内部から第３ハウジング１６の延長部１６ｃ上にロックすることができる。
【００７５】
上述した本発明に従ったプラグ１０は、例えば２〜３例を挙げると、オフィス通信技術、工業プラント、レール車両及び船舶を含む多くの領域で使用することができる。
【００７６】
本発明に従ったプラグ１０の構造により、ケーブル端着座部２０の複数の側面に着座部を配置することができる。このようにして、例えば公知のＲＪ−４５プラグ面を有するギガビット互換性を有するプラグを容易に得ることができる。
【００７７】
例えば従来からの４極のＲＪ−４５プラグハウジングにおいて、特に絶縁デバイス１８にケーブル端着座部２０を一体化したことにより、本発明に従った８極プラグ配置を使用することができる。別の利点は、一体化したケーブル端着座部２０を有する絶縁デバイスの製造が安価にでき、部品を個別部品として製造し、互いに独立してプラグハウジング内に嵌め込む場合よりも必要な組立コストが少ないことである。
【００７８】
さらに、プラグの好適な実施形態において、印刷回路基板５０は、少なくとも一つの付加的な電気回路を随意に有することができる。この電気回路は、電気的補償法によりギガビット範囲での高速データネットワーク用の電気伝送特性を改善する形態である。
【００７９】
プラグ１０の好適な実施形態において、さらに、第１、第２、第３のハウジング１２，１４，１６は、例えばダイカスト部品等の金属製である。これは、特に良好なシールド特性及び特に高い機械的堅牢さが得られるという利点を有する。別の利点は、堅牢な金属部品すなわちダイカスト製金属部品は、工業及びオフィスの両方の使用に適している。
【００８０】
第１、第２、第３のハウジング１２，１４，１６と同様に、ロック要素２４も好適には、金属或いはプラスチックから生産することができる。絶縁デバイス１８と、それに接続されるケーブル端着座部２０は、プラスチック等の絶縁材料からなる。
【００８１】
当業者にとっては、上述の実施形態、特に個々の特徴を互いに結合することもできることが明白であろう。
【図面の簡単な説明】
【００８２】
【図１】本発明の第１実施形態のプラグの開いた状態を示す概略斜視図である。
【図２】図１のプラグの閉じた状態を示す別の概略斜視図である。
【図３】本発明の第１実施形態のプラグを示す分解斜視図である。
【図４】本発明の第１実施形態のプラグの開いた状態を前から見た概略斜視図である。
【図５】図４のプラグの閉じた状態を示す別の概略斜視図である。
【図６】本発明の第２実施形態のプラグを示す分解斜視図である。
【図７】図４のプラグの開いた状態を、ケーブルがプラグ着座部に挿入される側面から見た概略斜視図である。
【符号の説明】
【００８３】
１２  第１ハウジング
１４  第２ハウジング
１６  第３ハウジング
１８  絶縁デバイス
１９  コンタクト
２０  ケーブル端着座部
２１  ディテント片
２２  着座部
２４  ロック要素
２８  突起
２９  着座部
３０  ディテント要素
５０  印刷回路基板
５４  シュラウド
５６  平坦コンタクト
６０  ディテントばね要素
６２  第１ディテント要素
６４  第２ディテント要素
６６  レバー
６８  ばね要素
８２  溝
【図１】
2008053234.tif 000003
【図２】
2008053234.tif 000004
【図３】
2008053234.tif 000005
【図４】
2008053234.tif 000006
【図５】
2008053234.tif 000007
【図６】
2008053234.tif 000008
【図７】
2008053234.tif 000009